(57)【要約】【課題】  マイナスイオン効果に加えて高気圧チャンバ内の除電も、一つのイオン発生器で行えるようにする。【解決手段】  プラスイオンとマイナスイオンとがほぼ等量生成される除電モードと、マイナスイオンの方が多く生成されるマイナスイオンモードとを切り替えることができるイオン発生器２４を、給気ホース２４からの高気圧空気が高気圧チャンバに入る直前位置に設置する。【選択図】  図１
2006239082.tif 000002
【特許請求の範囲】
【請求項１】
人体を収容できる高気圧チャンバと加圧給気装置本体とを給気ホースを介して連結し、加圧給気装置本体からの高気圧空気をホースを通じて高気圧チャンバ内へ供給する加圧給気装置において、プラスイオンとマイナスイオンとがほぼ等量生成される除電モードと、マイナスイオンの方が多く生成されるマイナスイオンモードとを切り替えることができるイオン発生器を、前記給気ホースからの高気圧空気が前記高気圧チャンバに入る直前位置に設置したことを特徴とする高気圧チャンバ用加圧給気装置。
【請求項２】
イオン発生器は、プラス・マイナスそれぞれの放電電極と、これらにプラス・マイナスそれぞれの直流高電圧を印加するプラス・マイナスそれぞれの高電圧発生回路と、マイナス側の高電圧発生回路を、その出力電圧がプラス側の高電圧発生回路よりも高くなるように切り替えるマイナス高電圧上昇回路と、このマイナス高電圧上昇回路を周期的に動作させるタイマと、これらマイナス高電圧上昇回路及びタイマの動作・停止を切り替えるマイナス優勢モード用スイッチとを備えていることを特徴とする請求項１に記載の高気圧チャンバ用加圧給気装置。
【請求項３】
加圧給気装置本体に内蔵されたコンプレッサと給気ホースとの間に、コンプレッサからの空気流をボルテック効果により冷却して給気ホースへ流す低温空気発生器を接続したことを特徴とする請求項１又は２に記載の高気圧チャンバ用加圧給気装置。
【請求項４】
加圧給気装置本体に、コンプレッサからの空気を熱交換により冷却する熱交換器を備えたことを特徴とする請求項１、２又は３に記載の高気圧チャンバ用加圧給気装置。
【発明の詳細な説明】
【技術分野】
【０００１】
本発明は、人体を収容して高気圧酸素療法を行うためのカプセル型の高気圧チャンバ内に、ホースを通じて高気圧空気を供給する高気圧チャンバ用加圧給気装置に関する。
【背景技術】
【０００２】
この種の加圧給気装置として、特許文献１（特開２００４−２７５７０６号公報）に記載されたものがある。これに記載のものでは、マイナスイオン効果を意図して、マイナスイオンを発生するイオン発生器を、加圧給気装置（加圧機構）内又は高気圧チャンバ内に備えている。
【０００３】
しかし、マイナスイオン効果は期待できても、マイナスイオンのみでは除電できないので、高圧の密室となるカプセル型の高気圧チャンバ内に、先の利用者による帯電電位が残留したままとなり、放電による電撃や引火の恐れがあるとともに、塵埃等がチャンバ内面に付着し、衛生上も問題がある。
【０００４】
また、加圧ポンプを使用しているが、その駆動源であるモータ等からの発熱により、高気圧チャンバ内に供給される空気が温風となり、発汗用カプセルのようになってしまうとか、新鮮な高気圧酸素浴という感じが減退するとか、息苦しさを感ずる等の問題がある。
【特許文献１】特開２００４−２７５７０６号公報
【発明の開示】
【発明が解決しようとする課題】
【０００５】
そこで、本発明の第１の課題は、マイナスイオン効果に加えて高気圧チャンバ内の除電も、一つのイオン発生器で行えるようにすることにある。
【０００６】
本発明の第２の課題は、高気圧チャンバ内に供給される空気が温風となるのを、簡単構成で防止できるようにすることにある。
【課題を解決するための手段】
【０００７】
上記第１の課題を達成するため、本発明は、人体を収容できる高気圧チャンバと加圧給気装置本体とを給気ホースを介して連結し、加圧給気装置本体からの高気圧空気をホースを通じて高気圧チャンバ内へ供給する加圧給気装置において、プラスイオンとマイナスイオンとがほぼ等量生成される除電モードと、マイナスイオンの方が多く生成されるマイナスイオンモードとを切り替えることができるイオン発生器を、給気ホースからの高気圧空気が高気圧チャンバに入る直前位置に設置したことを特徴とする。
【０００８】
イオン発生器は、具体例として、プラス・マイナスそれぞれの放電電極と、これらにプラス・マイナスそれぞれの直流高電圧を印加するプラス・マイナスそれぞれの高電圧発生回路と、マイナス側の高電圧発生回路を、その出力電圧がプラス側の高電圧発生回路よりも高くなるように切り替えるマイナス高電圧上昇回路と、このマイナス高電圧上昇回路を周期的に動作させるタイマと、これらマイナス高電圧上昇回路及びタイマの動作・停止を切り替えるマイナス優勢モード用スイッチとを備えている。
【０００９】
上記第２の課題も達成するため、加圧給気装置本体に内蔵されたコンプレッサと給気ホースとの間に、コンプレッサからの空気流をボルテック効果により冷却して給気ホースへ流す低温空気発生器を接続する。
【００１０】
さらに、加圧給気装置本体に、コンプレッサからの空気を熱交換により冷却する熱交換器を備える。
【発明の効果】
【００１１】
本発明によれば、高気圧チャンバ内に給気と共にマイナスイオンを吹き込むことができるマイナスイオンモードと、プラスイオンとマイナスイオンの両方を同時に吹き込むことができる除電モードとに、一つのイオン発生器で切り替えることができるので、マイナスイオン効果に加えて高気圧チャンバ内の除電も、一つのイオン発生器で行える。また、そのイオン発生器は、給気ホースからの高気圧空気が高気圧チャンバに入る直前位置に設置してあるため、高気圧チャンバに入るまでにイオンが給気ホース中で消滅するようなことはない。
【００１２】
請求項２に係る発明によれば、プラスイオンとマイナスイオンとがほぼ等量生成されるモードと、マイナスイオンの方が多く生成されるマイナス優勢状態が周期的に起こるモードとに切り替えることができ、特に後者のモードの場合、プラスイオンとマイナスイオンとがほぼ等量生成された直後に、マイナスイオンの方が多く生成され、それが交互に周期的に繰り返されるので、高気圧チャンバの内面に付着した塵や細菌等を、除電して付着力を弱めた直後に除菌（殺菌）し、しかもそれを周期的に繰り返すことができるため、死菌が塵と共に高気圧チャンバに付着したまま残留するということはなく、除電と除菌（殺菌）、更に除塵を効果的に行える。
【００１３】
請求項３に係る発明によれば、コンプレッサからの空気流をボルテック効果を利用した低温空気発生器により冷却して給気ホースへ流すので、低温空気発生器は小型であるため、コンプレッサからの高気圧空気を小さい設備で効率良く冷却して高気圧チャンバへ給気できる。
【００１４】
請求項４に係る発明によれば、コンプレッサからの空気を熱交換器にて熱交換により冷却するので、空気量が多くても、コンプレッサからの高気圧空気を冷却して高気圧チャンバへ給気できる。
【発明を実施するための最良の形態】
【００１５】
次に、本発明の実施例を図面に基づいて詳細に説明する。
【実施例】
【００１６】
本発明による加圧給気装置は、図１に示すように、人体を収容できるカプセル型高気圧チャンバ２１内に、高気圧空気の給気と共にイオンを吹き込むことができるもので、給気ホース２２を介して高気圧チャンバ２１に接続された加圧給気装置本体２３と、給気ホース２２と高気圧チャンバ２１との接続口に付設されたイオン発生器２４とからなる。
【００１７】
高気圧チャンバ２１は、横長の袋状で、ファスナ２５を開けて入り、横臥して使用するようになっている。高気圧チャンバ２１には透明な覗き窓２６・２７が設けられている。
【００１８】
図２は全体の概要構成を示すブロック図で、加圧給気装置本体２３には、モータを駆動源とするコンプレッサ２８、コンプレッサ２８からの高圧空気を空冷ファン２９の空冷による熱交換で冷却する熱交換器３０、その排気側に接続した切換弁３１、その後段に接続された低温空気発生器３２、通常の空気フィルタ３３、除菌フィルタ３４、高電圧電源部３５が備えられている。
【００１９】
図３に示すように、コンプレッサ２８、空冷ファン２９、熱交換器３０、切替弁３１、低温空気発生器３２、高電圧電源部３５は、加圧給気装置本体２３の筐体３６内に組み込まれているが、切換弁３１の切換レバー３１ａ、空気フィルタ３３、除菌フィルタ３４は筐体３６の外面に取り付けられている。
【００２０】
熱交換器３０を通ってきた高圧空気は、切換弁３１により、低温空気発生器３２を介するか介さないかを切り換えることができるようになっている。空気フィルタ３３で除塵され、除菌フィルタ３４で除菌された高圧空気は、給気ホース３５を通じてイオン発生器３へ送られ、ここでイオンを混入され、その混入と同時に高気圧チャンバ２１内へ吹き込まれる。イオン発生器２４には、給気ホース３５と一緒に束ねた高圧ケーブル３７を介して高電圧電源部３５より高電圧が供給される。
【００２１】
図４に、高電圧電源部３５を含めたイオン発生器２４の回路構成を示し、定電圧回路１と、連続的又は間欠的に高周波発振する高周波発振回路２と、その高周波出力からプラス・マイナスそれぞれの直流高電圧を生成するプラス・マイナスの倍電圧整流回路３Ａ・３Ｂと、そのプラス・マイナスそれぞれの高電圧を印加されるプラス・マイナスそれぞれの放電電極４Ａ・４Ｂに加え、マイナス側倍電圧整流回路３Ｂの出力を上昇させるマイナス高電圧上昇回路５と、このマイナス高電圧上昇回路５を周期的に動作させるタイマ６とで構成されている。
【００２２】
定電圧回路１は、外部の商用電源からの電圧を一定の直流電圧にする。高周波発振回路２は、その一定の直流電圧により自励で連続的又は間欠的に高周波発振して高周波トランス７の二次側に高周波の高電圧を連続的又は間欠的に出力する。
【００２３】
高周波トランス７の一次側コイル７ａの一端は入力側グランドライン８に、二次側コイル７ｂの一端は出力側グランドライン９にそれぞれ接続され、この出力側グランドライン９は、プラス・マイナスの倍電圧整流回路３Ａ・３Ｂのグランドラインと、プラス・マイナスそれぞれの接地用抵抗１０Ａ・１０Ｂを介して接続され、これら倍電圧整流回路３Ａ・３Ｂはグランドラインを基準として電位の極性及び大きさが決まる。
【００２４】
プラス・マイナスの倍電圧整流回路３Ａ・３Ｂは、それぞれダイオードＤとコンデンサＣとを直列に積み重ねるように接続することにより、その積み重ねた段数だけ、高周波トランス７の二次電圧の倍数の高圧直流電圧が得られる。この実施例では、マイナス側倍電圧整流回路３Ｂよりもプラス側倍電圧整流回路３Ａの増幅段数を１段だけ多くしてある。
【００２５】
これらプラス・マイナスの倍電圧整流回路３Ａ・３Ｂの出力端は、プラス・マイナスの放電電極４Ａ・４Ｂとそれぞれ抵抗結合にするため、プラス・マイナス別々に電流制限用抵抗１１Ａ・１１Ｂを介して放電電極３Ａ・３Ｂに接続されている。
【００２６】
マイナス側倍電圧整流回路３Ｂのグランドラインには、接地用抵抗１０Ｂを介さずにバイパスして接地するため、マイナス高電圧上昇回路５のトランジスタ１２が接続され、このトランジスタ１２がオンになったときは、マイナス側倍電圧整流回路３Ｂは接地用抵抗１０Ｂを介さずに接地されることにより、出力電圧が上昇し、プラス側倍電圧整流回路３Ａの出力電圧よりも高くなる。
【００２７】
トランジスタ１２は、タイマ６の出力波形（矩形波）を図４に併記してあるように、タイマ６の出力、つまりタイマ６にて任意に設定した周期でかつ任意に設定した時間幅で繰り返しオン・オフされる。このタイマ６は、マイナス優勢モード用スイッチ１３をオンにすることにより動作する。
【００２８】
従って、このマイナス優勢モード用スイッチ１３をオンにすると、タイマ６が動作してトランジスタ１２がタイマ６で任意に設定した周期でかつ任意に設定した時間幅で繰り返しオン・オフされるので、マイナス側倍電圧整流回路３Ｂの出力電圧が、トランジスタ１２がオンになる周期でプラス側倍電圧整流回路３Ａの出力電圧よりも高くなり、プラス・マイナスの放電電極４Ａ・４Ｂによる放電では、タイマ６の出力波形がＨＩＧＨになる周期でマイナスイオンの生成量の方がプラスイオンの生成量よりも多くなる。つまり、タイマ６の出力波形がＬＯＷのときはプラスイオンとマイナスイオンとはほぼ等量であるが、ＨＩＧＨのときはマイナスイオンの方が多くなる。
【００２９】
これをイオンによる効果から見ると、プラスイオンとマイナスイオンとをほぼ等量とした除電（及び除菌並びに除塵）作用と、マイナスイオンを優勢とした除菌（殺菌）作用とが交互に周期的に繰り返されることになる。
【００３０】
マイナス側倍電圧整流回路３Ｂについては、それ自体の出力電圧を可変抵抗であるマイナス高電圧調整ボリューム１４によって調整できるようにもなっている。
【００３１】
プラス・マイナスの放電電極４Ａ・４Ｂの放電により出力側グランドライン９に流れる放電電流は、放電電流検出用抵抗１５にて検出されてから、比較回路１６にて閾値と比較され、閾値を越えたとき音又は光による警報器１７が動作するようになっている。
【図面の簡単な説明】
【００３２】
【図１】高気圧チャンバを含めて示した本発明の一実施例の加圧給気装置の斜視図である。
【図２】全体の概要構成を示すブロック図である。
【図３】加圧給気装置本体の斜視図である。
【図４】高電圧電源部を含めたイオン発生器の回路構成図である。
【符号の説明】
【００３３】
１  定電圧回路
２  高周波発振回路
３Ａ  プラス側倍電圧整流回路
３Ｂ  マイナス側倍電圧整流回路
４Ａ・４Ｂ  プラス・マイナスの放電電極
５  マイナス高電圧上昇回路
６  タイマ
７  高周波トランス
７ａ  一次側コイル
７ｂ  二次側コイル
８  入力側グランドライン
９  出力側グランドライン
１０Ａ・１０Ｂ  接地用抵抗
１１Ａ・１１Ｂ  電流制限用抵抗
１２  トランジスタ
１３  マイナス優勢モード用スイッチ
１４  マイナス高電圧調整ボリューム
１５  放電電流検出用抵抗
１６  比較回路
１７  警報器
２１  高気圧チャンバ
２２  給気ホース
２３  加圧給気装置本体
２４  イオン発生器
２５  ファスナ
２６・２７  覗き窓
２８  コンプレッサ
２９  空冷ファン
３０  熱交換器
３１  切換弁
３１ａ  切換レバー
３２  低温空気発生器
３３  空気フィルタ
３４  除菌フィルタ
３５  高電圧電源部
３６  筐体
３７  高圧ケーブル
【図１】
2006239082.tif 000003
【図２】
2006239082.tif 000004
【図３】
2006239082.tif 000005
【図４】
2006239082.tif 000006